(57)【要約】【課題】人間に向けて風を送る送風装置において、風を受けた人間の快適性を向上させる。【解決手段】送風装置（10）は、本体部（15）と送風ファン（30）とを備える。本体部（15）には、吹出領域（16）が形成される。送風ファン（30）は、本体部（15）に設けられて吹出領域（16）へ向けて空気を送る。送風装置（10）は、対象仮想面（61）における風速の最小値Ｖminに対する風速の最大値Ｖmaxの比（Ｖmax／Ｖmin）が１以上１０以下となるように、吹出領域（16）から空気を吹き出す。対象仮想面（61）は、吹出領域（16）と向かい合う仮想の平面である。【選択図】図２
2019143631.tif 000002
【特許請求の範囲】
【請求項１】
空気を吹き出す吹出領域（16）が形成された本体部（15）と、該本体部（15）に設けられて上記吹出領域（16）へ向けて空気を流す送風部材（30）とを備え、
上記吹出領域（16）と向かい合う長方形の仮想面であって、上記吹出領域（16）からの距離が１ｍであり、上下に延びる長辺の長さが６０ｃｍであり、左右に延びる短辺の長さが４５ｃｍである仮想面を前方仮想面（65）とし、
上記吹出領域（16）と向かい合う長方形の仮想面であって、上記吹出領域（16）からの距離が３ｍであり、上下に延びる長辺の長さが１８０ｃｍであり、左右に延びる短辺の長さが９０ｃｍである仮想面を後方仮想面（67）とし、
上記前方仮想面及び上記後方仮想面を底面とする四角錐台形状の仮想の空間を対象仮想空間（60）とし、
上記対象仮想空間（60）に含まれ且つ上記前方仮想面（65）と平行な仮想面の少なくとも一つを対象仮想面（61）としたときに、
上記対象仮想面（61）において、風速の最小値Ｖminに対する風速の最大値Ｖmaxの比（Ｖmax／Ｖmin）が１以上１０以下となるように、上記吹出領域（16）から空気を吹き出す
ことを特徴とする送風装置。
【請求項２】
請求項１において、
上記対象仮想面（61）において、風速の最小値Ｖminに対する風速の最大値Ｖmaxの比（Ｖmax／Ｖmin）が１以上５以下となるように、上記吹出領域（16）から空気を吹き出す
ことを特徴とする送風装置。
【請求項３】
請求項１において、
上記対象仮想面（61）において、風速の最小値Ｖminに対する風速の最大値Ｖmaxの比（Ｖmax／Ｖmin）が１以上２．５以下となるように、上記吹出領域（16）から空気を吹き出す
ことを特徴とする送風装置。
【請求項４】
請求項１乃至３のいずれか一つにおいて、
上記吹出領域（16）と向かい合う長方形の仮想面であって、上記吹出領域（16）からの距離が２ｍであり、上下に延びる長辺の長さが１２０ｃｍであり、左右に延びる短辺の長さが６７．５ｃｍである仮想面を中間仮想面（66）としたときに、
上記対象仮想面（61）は、上記対象仮想空間（60）のうち上記前方仮想面（65）と上記中間仮想面（66）の間の部分に位置している
ことを特徴とする送風装置。
【請求項５】
請求項１乃至３のいずれか一つにおいて、
上記対象仮想面（61）は、上記後方仮想面（67）である
ことを特徴とする送風装置。
【請求項６】
請求項１乃至５のいずれか一つにおいて、
上記送風部材は、上記吹出領域（16）に面して配置された複数の送風ファン（30）である
ことを特徴とする送風装置。
【請求項７】
請求項１乃至５のいずれか一つにおいて、
上記本体部（15）は、空気が通過可能に構成されて上記吹出領域（16）の全体に設けられた整流部材（17）を備え、
上記送風部材（30）は、上記整流部材（17）の上流に配置された送風ファン（30）である
ことを特徴とする送風装置。
【請求項８】
請求項１乃至７のいずれか一つにおいて、
予め取得し又はリアルタイムに取得した屋外の自然風の風速の変動パターンを含む風速データに基づいて、上記吹出領域（16）から吹き出される空気の流速の変動パターンが上記風速データに含まれる風速の変動パターンとなるように上記送風部材（30）の動作を制御する制御器（40）を備えている
ことを特徴とする送風装置。
【請求項９】
請求項１乃至８のいずれか一つの送風装置（10）と、
上記送風装置（10）へ吸い込まれる供給空気を熱媒体と熱交換させて上記供給空気の温度を調節する熱交換器（55）とを備えている
ことを特徴とする空気調和装置。
【発明の詳細な説明】
【技術分野】
【０００１】
本開示は、送風装置と、それを備えた空気調和装置に関するものである。
【背景技術】
【０００２】
特許文献１には、複数の軸流送風機を備えた送風装置が開示されている。この送風装置は、送風機から吹き出された気流による誘引作用を利用し、比較的大きな送風量を得ている。
【先行技術文献】
【特許文献】
【０００３】
【特許文献１】特開２０１６−０８９７３４号公報
【発明の概要】
【発明が解決しようとする課題】
【０００４】
屋外の自然環境において吹いている風（自然風）は、標準的な成人男性の前面投影面積（概ね、０.６平方メートル）程度の領域において、その領域の各部における風速の差が比較的小さい。このため、自然風を受ける人間は、その身体の各部に受ける風の速度の差が比較的小さい。
【０００５】
一方、特許文献１に開示されたものを含む従来の送風装置は、大きな送風量を得たり、風速を高めて気流の到達距離を伸ばすことを考慮して構成されたものが多い。つまり、従来の送風装置において、比較的広い領域の風速分布を平均化することは、それほど重視されていなかった。そのため、従来の送風装置から吹き出された風を浴びる人間は、その身体の各部に受ける風の速度の差が比較的大きいのが通常である。従って、従来の送風装置は、自然風を受けたときと同等の快適性を人間に与えることができなかった。
【０００６】
本開示の目的は、人間に向けて風を送る送風装置において、風を受けた人間の快適性を向上させることにある。
【課題を解決するための手段】
【０００７】
本開示の第１の態様は、送風装置を対象とし、空気を吹き出す吹出領域（16）が形成された本体部（15）と、該本体部（15）に設けられて上記吹出領域（16）へ向けて空気を流す送風部材（30）とを備え、上記吹出領域（16）と向かい合う長方形の仮想面であって、上記吹出領域（16）からの距離が１ｍであり、上下に延びる長辺の長さが６０ｃｍであり、左右に延びる短辺の長さが４５ｃｍである仮想面を前方仮想面（65）とし、上記吹出領域（16）と向かい合う長方形の仮想面であって、上記吹出領域（16）からの距離が３ｍであり、上下に延びる長辺の長さが１８０ｃｍであり、左右に延びる短辺の長さが９０ｃｍである仮想面を後方仮想面（67）とし、上記前方仮想面（65）及び上記後方仮想面（67）を底面とする四角錐台形状の仮想の空間を対象仮想空間（60）とし、上記対象仮想空間（60）に含まれ且つ上記前方仮想面（65）と平行な仮想面の少なくとも一つを対象仮想面（61）としたときに、上記対象仮想面（61）において、風速の最小値Ｖminに対する風速の最大値Ｖmaxの比（Ｖmax／Ｖmin）が１以上１０以下となるように、上記吹出領域（16）から空気を吹き出すものである。
【０００８】
第１の態様では、送風部材（30）によって生起した空気流が、吹出領域（16）から対象仮想面（61）へ向けて送り出される。対象仮想面（61）では、その各部における風速の最小値Ｖminに対する最大値Ｖmaxの比（Ｖmax／Ｖmin）が１以上１０以下となる。そのため、吹出領域（16）からの風を受ける人間は、その身体の各部に受ける風の速度の差が比較的小さい状態となる。従って、この態様によれば、送風装置（10）からの風を受けた人間の快適性を向上させることが可能となる。
【０００９】
本開示の第２の態様は、上記第１の態様において、上記対象仮想面（61）において、風速の最小値Ｖminに対する風速の最大値Ｖmaxの比（Ｖmax／Ｖmin）が１以上５以下となるように、上記吹出領域（16）から空気を吹き出すものである。
【００１０】
第２の態様の送風装置（10）から吹き出された空気が流れる対象仮想面（61）では、その各部における風速の最小値Ｖminに対する最大値Ｖmaxの比（Ｖmax／Ｖmin）が１以上５以下となる。
【００１１】
本開示の第３の態様は、上記第１の態様において、上記対象仮想面（61）において、風速の最小値Ｖminに対する風速の最大値Ｖmaxの比（Ｖmax／Ｖmin）が１以上２．５以下となるように、上記吹出領域（16）から空気を吹き出すものである。
【００１２】
第３の態様の送風装置（10）から吹き出された空気が流れる対象仮想面（61）では、その各部における風速の最小値Ｖminに対する最大値Ｖmaxの比（Ｖmax／Ｖmin）が１以上２．５以下となる。
【００１３】
本開示の第４の態様は、上記第１〜第３のいずれか一つの態様において、上記吹出領域（16）と向かい合う長方形の仮想面であって、上記吹出領域（16）からの距離が２ｍであり、上下に延びる長辺の長さが１２０ｃｍであり、左右に延びる短辺の長さが６７．５ｃｍである仮想面を中間仮想面（66）としたときに、上記対象仮想面（61）は、上記対象仮想空間（60）のうち上記前方仮想面（65）と上記中間仮想面（66）の間の部分に位置しているものである。
【００１４】
第４の態様では、対象仮想空間（60）のうち前方仮想面（65）と中間仮想面（66）の間の部分に含まれ、且つ前方仮想面（65）と平行な仮想面の少なくとも一つが、対象仮想面（61）となる。
【００１５】
本開示の第５の態様は、上記第１〜第３のいずれか一つの態様において、上記対象仮想面（61）は、上記後方仮想面（67）であるものである。
【００１６】
第５の態様では、後方仮想面（67）が対象仮想面（61）となる。第５の態様の送風装置（10）から吹き出された空気が流れる後方仮想面（67）では、その各部における風速の最小値Ｖminに対する最大値Ｖmaxの比（Ｖmax／Ｖmin）が所定の数値範囲内の値となる。
【００１７】
本開示の第６の態様は、上記第１〜第５のいずれか一つの態様において、上記送風部材は、上記吹出領域（16）に面して配置された複数の送風ファン（30）であるものである。
【００１８】
第６の態様では、複数の送風ファン（30）が送風部材（30）として送風装置（10）に設けられる。送風ファン（30）が作動すると、本体部（15）の吹出領域（16）から風が吹き出される。
【００１９】
本開示の第７の態様は、上記第１〜第５のいずれか一つの態様において、上記本体部（15）は、空気が通過可能に構成されて上記吹出領域（16）の全体に設けられた整流部材（17）を備え、上記送風部材（30）は、上記整流部材（17）の上流に配置された送風ファン（30）であるものである。
【００２０】
第７の態様では、送風ファン（30）が送風部材（30）として送風装置（10）に設けられる。送風ファン（30）から吹き出された空気は、整流部材（17）を通過する際に整流された後に吹出領域（16）から吹き出される。
【００２１】
本開示の第８の態様は、上記第１〜第７のいずれか一つの態様において、予め取得し又はリアルタイムに取得した屋外の自然風の風速の変動パターンを含む風速データに基づいて、上記吹出領域（16）から吹き出される空気の流速の変動パターンが上記風速データに含まれる風速の変動パターンとなるように上記送風部材（30）の動作を制御する制御器（40）を備えるものである。
【００２２】
第８の態様では、吹出領域（16）から吹き出される空気の流速の変動パターンが風速データに含まれた風速の変動パターン（即ち、屋外の自然風の風速の変動パターン）となるように、制御器（40）が送風部材（30）の動作を制御する。つまり、この態様によれば、風速データに含まれた自然風の風速の変動パターンを、送風装置（10）によって再現することが可能となる。
【００２３】
本開示の第９の態様は、空気調和装置を対象とし、上記第１〜第８のいずれか一つの態様の送風装置（10）と、上記送風装置（10）へ吸い込まれる供給空気を熱媒体と熱交換させて上記供給空気の温度を調節する熱交換器（55）とを備えるものである。
【００２４】
第９の態様では、熱交換器（55）を通過する際に温度調節された供給空気が、送風装置（10）によって吹き出される。従って、この態様の空気調和装置（50）によれば、送風装置（10）から吹き出される空気の流速と温度の両方を調節することが可能となる。
【図面の簡単な説明】
【００２５】
【図１】図１は、実施形態１の送風装置の本体部の概略正面図である。
【図２】図２は、実施形態１の送風装置の本体部と対象仮想空間とを示す概略斜視図である。
【図３】図３は、実施形態１の送風装置の本体部と対象仮想空間とを示す概略側面図である。
【図４】図４は、実施形態１の送風装置の使用状態を示す概略構成図である。
【図５】図５は、実施形態２の送風装置の本体部の概略正面図である。
【図６】図６は、図５のＶ−Ｖ断面を示す実施形態２の送風装置の本体部の概略断面図である
【図７】図７は、実施形態２の変形例１の送風装置の図６に相当する本体部の断面を示す概略断面図である。
【図８】図８は、実施形態２の変形例２の送風装置の図６に相当する本体部の断面を示す概略断面図である。
【図９】図９は、実施形態３の空気調和装置の概略構成を示す断面図である。
【発明を実施するための形態】
【００２６】
《実施形態１》
実施形態１の送風装置（10）について、図１〜図４を適宜参照しながら説明する。
【００２７】
−送風装置の構成−
〈本体部〉
図１及び図２に示すように、送風装置（10）は、本体部（15）を備える。本体部（15）は、前後方向の奥行きが比較的短い直方体状に形成される。本体部（15）は、左右方向の幅と上下方向の高さのそれぞれが、概ね１.６ｍ程度である。なお、本体部（15）についての説明で用いる「上」「下」「左」「右」「前」「後」は、図２に示す方向（即ち、本体部（15）を正面から見たときの方向）を意味する。
【００２８】
本体部（15）には、送風部材としての送風ファン（30）が１６個設けられる。本体部（15）において、１６個の送風ファン（30）は、左右方向と上下方向のそれぞれに４個ずつマトリックス状に配置される。各送風ファン（30）は、羽根車（31）とシュラウド（32）とを備えた軸流送風機である。羽根車（31）は、いわゆるプロペラファンである。各送風ファン（30）において、シュラウド（32）は、羽根車（31）の周囲を囲うように配置される。また、図示しないが、各送風ファン（30）には、羽根車（31）を駆動するファンモータが設けられる。羽根車（31）は、ファンモータの出力軸に取り付けられる。
【００２９】
本体部（15）において、１６個の送風ファン（30）は、本体部（15）の前面に面している。本体部（15）の前面は、各送風ファン（30）から吹き出された空気が吹き出される吹出領域（16）を構成する。本実施形態の送風装置（10）において、吹出領域（16）は、左右方向の幅が１.６ｍで、上下方向の高さ１.６ｍの正方形状の平面である。
【００３０】
〈制御器〉
図４に示すように、送風装置（10）は、制御器（40）を更に備える。図示しないが、制御器（40）は、制御プログラムを実行するＣＰＵと、制御プログラムやそれを実行するのに必要なデータ等を記憶するメモリとを備える。
【００３１】
制御器（40）は、インターネット等の通信回線（45）を介して、遠隔地の屋外に設置されたセンサユニット（46）と通信可能に接続される。図示しないが、センサユニット（46）は、設置された屋外の自然環境において吹いている風（自然風）の速度を計測する風速センサを一つ備えている。センサユニット（46）は、風速センサの計測値をリアルタイムに通信回線（45）を介して制御器（40）へ送信する。センサユニット（46）から制御器（40）へ送られるデータは、設置場所における自然風の変動パターンを記録した風速データである。
【００３２】
制御器（40）は、センサユニット（46）から受信した風速データに基づいて、本体部（15）に設けられた送風ファン（30）の羽根車（31）の回転速度を制御するように構成される。その際、制御器（40）は、全ての送風ファン（30）の羽根車（31）の回転速度を同じ値に設定する。
【００３３】
−送風装置の動作−
本実施形態の送風装置（10）において、各送風ファン（30）の羽根車（31）は、互いに同じ回転速度で回転する。従って、本体部（15）にマトリックス状に配置された１６個の送風ファン（30）は、それぞれの吹出し風速が互いに概ね一致する。本体部（15）の前面である吹出領域（16）からは、１６個の送風ファン（30）が吹き出した空気が、前方へ向かって吹き出される。
【００３４】
各送風ファン（30）から吹き出されて吹出領域（16）を通過した空気は、互いに拡散し、それぞれの風速が平均化される。その結果、図２に示す対象仮想面（61）では、その各部における風速の最小値Ｖminに対する最大値Ｖmaxの比Ｖmax／Ｖminが、１以上１０以下となる（１≦Ｖmax／Ｖmin≦１０）。なお、対象仮想面（61）の各部における風速の最小値Ｖminに対する最大値Ｖmaxの比Ｖmax／Ｖminは、１以上５以下であるのが望ましく、１以上４以下であるのが望ましく、１以上３以下であるのが更に望ましく、１以上２．５以下であるのが望ましく、１以上２以下であるのが更に望ましい。
【００３５】
−制御器の動作−
制御器（40）は、吹出領域（16）から吹き出される空気の流速の変動パターンが、センサユニット（46）から受信した風速データに含まれる風速の変動パターンとなるように、各送風ファン（30）の羽根車（31）の回転速度を調節する。つまり、制御器（40）は、風速データに含まれる風速の計測値が上昇すると、各送風ファン（30）の羽根車（31）の回転速度を増加させ、風速データに含まれる風速の計測値が低下すると、各送風ファン（30）の羽根車（31）の回転速度を減少させる。その結果、吹出領域（16）と向かい合う対象仮想面（61）において、センサユニット（46）の設置場所における自然風の変動パターンが再現される。
【００３６】
−対象仮想面におけるＶmax／Ｖmin−
上述したように、本実施形態の送風装置（10）は、対象仮想面（61）の各部における風速の最小値Ｖminに対する最大値Ｖmaxの比Ｖmax／Ｖminを、１以上１０以下としている。ここでは、その理由を説明する。
【００３７】
一般的な空調機から吹き出される風とは異なり、屋外の自然環境において吹いている風（自然風）には、“比較的広い領域において風速分布が比較的小さい”という特性がある。そのことを確認するために、本実施形態の送風装置（10）の設計者らは、自然風の風速を実際に測定した。
【００３８】
設計者らは、左右方向の幅が４５ｃｍで上下方向の高さが６０ｃｍの長方形の計測領域について、その各部における自然風の風速を測定した。計測領域には、２０個の風速センサがマトリックス状に配置される。具体的に、計測領域には、その左右方向に４個の風速センサが１５ｃｍ間隔で配置され、その上下方向に５個の風速センサが１５ｃｍ間隔で配置される。そして、設計者らは、各風速センサの計測値を０.５秒毎に３００秒間に亘って記録し、各時刻における計測領域のＶmax／Ｖminを算出した。その結果、風速を計測した３００秒間では、Ｖmax／Ｖminの最小値が１.２であり、Ｖmax／Ｖminの最大値が４.６であった。
【００３９】
この計測結果からは、対象仮想面（61）におけるＶmax／Ｖminを概ね１０以下に設定すれば、送風装置（10）と対面して送風装置（10）からの風を受けている人間に対して、自然風を浴びているような感覚を与えられることが分かる。そこで、本実施形態の送風装置（10）では、対象仮想面（61）におけるＶmax／Ｖmin１以上５以下とし、送風装置（10）からの風を受けている人間に自然風を浴びているような感覚を与え、その人間に高い快適性を与えている。
【００４０】
−対象仮想空間と対象仮想面−
図２及び図３に示すように、対象仮想空間（60）は、第１仮想面（65）と第３仮想面（67）とを底面とする四角錐台形状の仮想の空間である。この対象仮想空間（60）は、第２仮想面（66）を含む。対象仮想面（61）は、対象仮想空間（60）に含まれる仮想の平面である。
【００４１】
〈第１仮想面〉
第１仮想面（65）は、前方仮想面である。第１仮想面（65）は、図２に長方形Ａ１,Ｂ１,Ｃ１,Ｄ１で示される仮想の平面である。
【００４２】
具体的に、第１仮想面（65）は、吹出領域（16）と向かい合う長方形の仮想面である。第１仮想面（65）は、吹出領域（16）と平行な鉛直面である。第１仮想面（65）から吹出領域（16）までの距離は、１ｍである。第１仮想面（65）の長辺は、上下方向に沿っている。第１仮想面（65）の長辺の長さは、６０ｃｍである。第１仮想面（65）の短辺は、左右方向に沿っている。第１仮想面（65）の短辺の長さは、４５ｃｍである。
【００４３】
第１仮想面（65）の重心Ｏ１は、対象仮想空間（60）の中心線（CL）上に位置する。対象仮想空間（60）の中心線（CL）は、第１仮想面（65）及び吹出領域（16）と直交する水平な直線である。
【００４４】
〈第２仮想面〉
第２仮想面（66）は、中間仮想面である。第２仮想面（66）は、図２に長方形Ａ２,Ｂ２,Ｃ２,Ｄ２で示される仮想の平面である。この第２仮想面（66）は、第１仮想面（65）と第３仮想面（67）の中間に位置する。
【００４５】
具体的に、第２仮想面（66）は、吹出領域（16）と向かい合う長方形の仮想面である。第２仮想面（66）は、吹出領域（16）と平行な鉛直面である。第２仮想面（66）から吹出領域（16）までの距離は、２ｍである。第２仮想面（66）の長辺は、上下方向に沿っている。第２仮想面（66）の長辺の長さは、１２０ｃｍである。第２仮想面（66）の短辺は、左右方向に沿っている。第２仮想面（66）の短辺の長さは、６７．５ｃｍである。
【００４６】
第２仮想面（66）の重心Ｏ２は、対象仮想空間（60）の中心線（CL）上に位置する。第２仮想面（66）は、対象仮想空間（60）の中心線（CL）と直交する。
【００４７】
〈第３仮想面〉
第３仮想面（67）は、後方仮想面である。第３仮想面（67）は、図２に長方形Ａ３,Ｂ３,Ｃ３,Ｄ３で示される仮想の平面である。
【００４８】
具体的に、第３仮想面（67）は、吹出領域（16）と向かい合う長方形の仮想面である。第３仮想面（67）は、吹出領域（16）と平行な鉛直面である。第３仮想面（67）から吹出領域（16）までの距離は、３ｍである。第３仮想面（67）の長辺は、上下方向に沿っている。第３仮想面（67）の長辺の長さは、１８０ｃｍである。第３仮想面（67）の短辺は、左右方向に沿っている。第３仮想面（67）の短辺の長さは、９０ｃｍである。
【００４９】
第３仮想面（67）の重心Ｏ３は、対象仮想空間（60）の中心線（CL）上に位置する。第３仮想面（67）は、対象仮想空間（60）の中心線（CL）と直交する。
【００５０】
〈対象仮想面〉
本実施形態の対象仮想面（61）は、図２に長方形Ａ,Ｂ,Ｃ,Ｄで示される仮想の平面である。この対象仮想面（61）は、対象仮想空間（60）に含まれ且つ第１仮想面（65）と平行な一つの仮想面である。
【００５１】
具体的に、対象仮想面（61）は、吹出領域（16）と向かい合う長方形の仮想面である。対象仮想面（61）は、吹出領域（16）と平行な鉛直面である。対象仮想空間（60）において、本実施形態の対象仮想面（61）は、第１仮想面（65）と第２仮想面（66）の間に位置する。対象仮想面（61）の長辺は、上下方向に沿っている。対象仮想面（61）の短辺は、左右方向に沿っている。
【００５２】
対象仮想面（61）の重心Ｏは、対象仮想空間（60）の中心線（CL）上に位置する。対象仮想面（61）は、対象仮想空間（60）の中心線（CL）と直交する。
【００５３】
−実施形態１の特徴（１）−
本実施形態の送風装置（10）は、空気を吹き出す面状の吹出領域（16）が形成された本体部（15）と、本体部（15）に設けられて吹出領域（16）へ向けて空気を流す送風ファン（30）とを備える。そして、送風装置（10）は、対象仮想面（61）において、風速の最小値Ｖminに対する風速の最大値Ｖmaxの比（Ｖmax／Ｖmin）が１以上１０以下となるように、上記吹出領域（16）から空気を吹き出す。
【００５４】
対象仮想面（61）は、対象仮想空間（60）に含まれ且つ第１仮想面（65）と平行な仮想面の少なくとも一つである。対象仮想空間（60）は、第１仮想面（65）及び第３仮想面（67）を底面とする四角錐台形状の仮想の空間である。第１仮想面（65）は、吹出領域（16）と向かい合う長方形の仮想面であって、吹出領域（16）からの距離が１ｍであり、上下に延びる長辺の長さが６０ｃｍであり、左右に延びる短辺の長さが４５ｃｍの仮想面である。第３仮想面（67）は、吹出領域（16）と向かい合う長方形の仮想面であって、吹出領域（16）からの距離が３ｍであり、上下に延びる長辺の長さが１８０ｃｍであり、左右に延びる短辺の長さが９０ｃｍの仮想面である。
【００５５】
本実施形態では、送風部材（30）によって生起した空気流が、吹出領域（16）から対象仮想面（61）へ向けて送り出される。対象仮想面（61）では、その各部における風速の最小値Ｖminに対する最大値Ｖmaxの比（Ｖmax／Ｖmin）が１以上１０以下となる。そのため、吹出領域（16）からの風を受ける人間は、その身体の各部に受ける風の速度の差が比較的小さい状態となる。従って、本実施形態によれば、自然風を受けたときと同等の快適性を人間に与えることが可能となり、送風装置（10）からの風を受けた人間の快適性を向上させることが可能となる。
【００５６】
−実施形態１の特徴（２）−
本実施形態の対象仮想面（61）は、対象仮想空間（60）のうち第１仮想面（65）と第２仮想面（66）の間の部分に位置している。第２仮想面（66）は、吹出領域（16）と向かい合う長方形の仮想面であって、吹出領域（16）からの距離が２ｍであり、上下に延びる長辺の長さが１２０ｃｍであり、左右に延びる短辺の長さが６７．５ｃｍの仮想面である。
【００５７】
−実施形態１の特徴（３）−
本実施形態の送風装置（10）では、送風部材を構成する複数の送風ファン（30）が、吹出領域（16）に面して配置される。送風ファン（30）が作動すると、本体部（15）の吹出領域（16）から風が吹き出される。
【００５８】
−実施形態１の特徴（４）−
本実施形態の送風装置（10）において、制御器（40）は、リアルタイムに取得した屋外の自然風の風速の変動パターンを含む風速データに基づいて、吹出領域（16）から吹き出される空気の流速の変動パターンが風速データに含まれる風速の変動パターンとなるように、送風ファン（30）の動作を制御する。従って、本実施形態によれば、風速データに含まれた自然風の風速の変動パターンを、送風装置（10）によって再現することが可能となる。
【００５９】
−実施形態１の変形例−
センサユニット（46）には、複数の風速センサが設けられていてもよい。
【００６０】
例えば、センサユニット（46）に４つの風速センサを設ける場合は、左右方向と上下方向に２個ずつの風速センサをマトリックス状に配置するのが望ましい。その場合、本体部（15）では、右上寄りに位置する４つの送風ファン（30）が第１の風速センサに対応づけられ、右下寄りに位置する４つの送風ファン（30）が第２の風速センサに対応づけられ、左下寄りに位置する４つの送風ファン（30）が第３の風速センサに対応づけられ、左上寄りに位置する４つの送風ファン（30）が第４の風速センサに対応づけられる。そして、この場合、制御器（40）は、各送風ファン（30）の羽根車（31）の回転速度を、それぞれに対応する風速センサの計測値に応じて調節する。
【００６１】
また、例えば、センサユニット（46）に１６個の風速センサを設ける場合は、本体部（15）に設けられた１６個の送風ファン（30）のそれぞれが別々の風速センサに対応づけられる。そして、この場合、制御器（40）は、各送風ファン（30）の羽根車（31）の回転速度を、その送風ファン（30）に対応する風速センサの計測値に応じて個別に調節する。
【００６２】
《実施形態２》
実施形態２について説明する。本実施形態の送風装置（10）は、実施形態１の送風装置（10）において、本体部（15）の構成を変更したものである。ここでは、本実施形態の本体部（15）ついて、図５及び図６を参照しながら説明する。
【００６３】
本実施形態の本体部（15）は、ケーシング（20）と、送風ファン（30）と、整流部材（17）とを、１つずつ備える。この本体部（15）は、前後方向の奥行きが比較的短い直方体状に形成される。
【００６４】
ケーシング（20）は、正面から見て正方形状の枠状（あるいは、短い矩形ダクト状）に形成される。ケーシング（20）は、左右方向の幅と上下方向の高さのそれぞれが、概ね１.６ｍ程度である。
【００６５】
送風ファン（30）は、ケーシング（20）に収容され、ケーシング（20）の後端寄りに配置される。本実施形態の送風ファン（30）は、実施形態１の送風ファン（30）と同様の軸流送風機である。この送風ファン（30）は、羽根車（31）とファンモータ（33）とシュラウド（32）とを１つずつ備える。
【００６６】
整流部材（17）は、空気が通過可能であって、そこを通過する空気の流れを整えるように構成された部材である。この整流部材（17）は、例えば、積層された複数枚の不織布シートや、多数の小孔が形成されたパンチング板などによって構成される。本実施形態の整流部材（17）は、正方形の厚板状に形成され、ケーシング（20）の前面側の開口端の全体を覆うように配置される。本実施形態の本体部（15）では、整流部材（17）の前面が吹出領域（16）となる。従って、本実施形態の送風装置（10）においても、吹出領域（16）は、左右方向の幅が１.６ｍで、上下方向の高さ１.６ｍの正方形状の平面となる。
【００６７】
本実施形態の送風装置（10）において、制御器（40）は、本体部（15）に設けられた１つの送風ファン（30）の制御を行う。つまり、この制御器（40）は、送風ファン（30）の羽根車（31）の回転速度を、センサユニット（46）から受信した送風データに基づいて調節する。
【００６８】
本実施形態の送風装置（10）において、送風ファン（30）から吹き出された空気は、整流部材（17）を通過する際にその流れが整えられる。そして、整流部材（17）の前面である吹出領域（16）では、その各部を通過する空気の流速が平均化される。その結果、吹出領域（16）と対面する対象仮想面（61）では、その各部における風速の最小値Ｖminに対する最大値Ｖmaxの比Ｖmax／Ｖminが、１以上５以下となる（１≦Ｖmax／Ｖmin≦５）。なお、対象仮想面（61）の形状および大きさと、対象仮想面（61）から吹出領域（16）までの距離とは、実施形態１と同じである。
【００６９】
このように、本実施形態の送風装置（10）において、本体部（15）は、空気が通過可能に構成されて吹出領域（16）の全体に設けられた整流部材（17）を備える。また、本体部（15）では、送風部材である送風ファン（30）が、整流部材（17）の上流に配置される。本実施形態の送風装置（10）において、送風ファン（30）から吹き出された空気は、整流部材（17）を通過する際に整流された後に吹出領域（16）から吹き出される。
【００７０】
−実施形態２の変形例１−
図７に示すように、本実施形態の送風装置（10）は、本体部（15）のケーシング（20）が吸込側ケーシング（21）と吹出側ケーシング（22）とに分割されていてもよい。吸込側ケーシング（21）には、１つの送風ファン（30）が収容される。吹出側ケーシング（22）には、その前面を覆うように整流部材（17）が取り付けられる。吸込側ケーシング（21）と吹出側ケーシング（22）は、蛇腹状の連結ダクト（25）によって連結される。
【００７１】
−実施形態２の変形例２−
図８に示すように、本実施形態の送風装置（10）は、送風ファン（30）が上方へ空気を吹き出す姿勢で配置されていてもよい。
【００７２】
本変形例のケーシング（20）は、直方体形状の箱状に形成される。このケーシング（20）は、前面の上部が開口しており、この開口を覆うように整流部材（17）が取り付けられる。ケーシング（20）の前側板と後側板は、それぞれの下端寄りに吸込口（23）が形成される。ケーシング（20）の内部空間において、送風ファン（30）は、吸込口（23）よりも上方で且つ整流部材（17）よりも下方に配置される。また、送風ファン（30）は、羽根車（31）の回転軸が上下方向となる姿勢で、ケーシング（20）内に設置される。なお、図８では、送風ファン（30）のシュラウドの図示を省略している。
【００７３】
送風ファン（30）が作動すると、空気が吸込口（23）を通ってケーシング（20）の内部空間へ流入する。ケーシング（20）の内部空間へ流入した空気は、送風ファン（30）によって上方へ吹き出され、その後に前方へ向きを変え、整流部材（17）を通過後にケーシング（20）から吹き出される。
【００７４】
−実施形態２の変形例３−
本実施形態とその変形例１,２の送風装置（10）には、複数の送風ファン（30）が設けられていてもよい。例えば、本実施形態とその変形例１,２の送風装置（10）では、ケーシング（20）内に４個の送風ファン（30）がマトリックス状に配置されていてもよい。
【００７５】
《実施形態３》
実施形態３について説明する。本実施形態は、実施形態１の送風装置（10）を備えた空気調和装置（50）である。
【００７６】
図９に示すように、本実施形態の空気調和装置（50）は、実施形態１の送風装置（10）と、ダクト部材（51）と、熱交換器（55）と、室外ユニット（56）とを備えている。
【００７７】
ダクト部材（51）は、吹出端部（53）と、吸込端部（52）と、拡大部（54）とを備える。吹出端部（53）は、送風装置（10）に対応した大きさの矩形ダクト状に形成される。吸込端部（52）は、吹出端部（53）よりも流路断面積が小さい矩形ダクト状に形成される。拡大部（54）は、吸込端部（52）から吹出端部（53）へ向かって流路断面積が次第に拡大する形状に形成され、吸込端部（52）と吹出端部（53）を接続する。
【００７８】
送風装置（10）の本体部（15）は、吹出端部（53）の終端（図９における左端）を覆うように配置される。熱交換器（55）は、吸込端部（52）に収容される。熱交換器（55）は、冷媒と空気を熱交換させる空気熱交換器である。室外ユニット（56）は、熱交換器（55）と配管を介して接続され、冷凍サイクルを行う冷媒回路（57）を構成する。図示しないが、室外ユニット（56）には、圧縮機、室外ファン、室外熱交換器などの機器が収容される。
【００７９】
送風装置（10）の送風ファン（30）を作動させると、ダクト部材（51）の吸込端部（52）へ空気が吸い込まれる。ダクト部材（51）へ吸い込まれた空気は、供給空気としてダクト部材（51）の中を流れ、熱交換器（55）を通過する間に冷媒と熱交換することによって、冷却され又は加熱される。熱交換器（55）を通過する間に温度調節された供給空気は、送風装置（10）によって室内空間へ吹き出される。
【００８０】
このように、本実施形態の空気調和装置（50）は、実施形態１の送風装置（10）と、送風装置（10）へ吸い込まれる供給空気を熱媒体と熱交換させて供給空気の温度を調節する熱交換器（55）とを備える。
【００８１】
本実施形態の空気調和装置（50）は、熱交換器（55）を通過する際に温度調節された供給空気を、送風装置（10）によって吹き出す。従って、本実施形態の空気調和装置（50）によれば、送風装置（10）から吹き出される空気の流速と温度の両方を調節することが可能となる。
【００８２】
−実施形態３の変形例−
本実施形態の空気調和装置（50）では、実施形態１の送風装置（10）に代えて、実施形態１の変形例の送風装置（10）が設けられていてもよいし、実施形態２又はその変形例１,２の送風装置（10）が設けられていてもよい。
【００８３】
《その他の実施形態》
上記各実施形態及びそれらの変形例の送風装置（10）において、制御器（40）は、例えばメモリーカード等の記録媒体に記録された風速データを読み込み、読み込んだ風速データに基づいて本体部（15）の送風ファン（30）を制御するように構成されていてもよい。
【００８４】
上記各実施形態及びそれらの変形例の送風装置（10）は、対象仮想面（61）において、風速の最小値Ｖminに対する風速の最大値Ｖmaxの比（Ｖmax／Ｖmin）が１以上５以下となるように、吹出領域（16）から空気を吹き出すように構成されていてもよい。
【００８５】
また、上記各実施形態及びそれらの変形例の送風装置（10）は、対象仮想面（61）において、風速の最小値Ｖminに対する風速の最大値Ｖmaxの比（Ｖmax／Ｖmin）が１以上２．５以下となるように、吹出領域（16）から空気を吹き出すように構成されていてもよい。
【００８６】
また、上記各実施形態及びそれらの変形例の送風装置（10）は、対象仮想面（61）である第３仮想面（67）において、風速の最小値Ｖminに対する最大値Ｖmaxの比（Ｖmax／Ｖmin）が所定の数値範囲内の値となるように、吹出領域（16）から空気を吹き出すように構成されていてもよい。
【００８７】
また、上記各実施形態及びそれらの変形例の送風装置（10）は、複数の対象仮想面（61）において、風速の最小値Ｖminに対する最大値Ｖmaxの比（Ｖmax／Ｖmin）が所定の数値範囲内の値となるように、吹出領域（16）から空気を吹き出すように構成されていてもよい。
【００８８】
また、上記各実施形態及びそれらの変形例の送風装置（10）において、送風ファン（30）の型式は、プロペラファンに限られない。例えば、送風ファン（30）は、斜流ファンやシロッコファンであってもよい。
【００８９】
また、上記各実施形態及びそれらの変形例の送風装置（10）では、いわゆるイオン風素子が送風部材として本体部（15）に設けられていてもよい。イオン風素子は、放電によってプラズマを発生させ、発生したプラズマによって風を生起させるように構成された素子である。
【００９０】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００９１】
以上説明したように、本開示は、送風装置と、これを備えた空気調和装置について有用である。
【符号の説明】
【００９２】
15    本体部
16    吹出領域
17    整流部材
30    送風ファン（送風部材）
40    制御器
50    空気調和装置
55    熱交換器
60    対象仮想空間
61    対象仮想面
65    第１仮想面（前方仮想面）
66    第２仮想面（中間仮想面）
67    第３仮想面（後方仮想面）
【図１】
2019143631.tif 000003
【図２】
2019143631.tif 000004
【図３】
2019143631.tif 000005
【図４】
2019143631.tif 000006
【図５】
2019143631.tif 000007
【図６】
2019143631.tif 000008
【図７】
2019143631.tif 000009
【図８】
2019143631.tif 000010
【図９】
2019143631.tif 000011
【手続補正書】
【提出日】令和1年7月22日(2019.7.22)
【手続補正１】
【補正対象書類名】明細書
【補正対象項目名】全文
【補正方法】変更
【補正の内容】
【発明の詳細な説明】
【技術分野】
【０００１】
本開示は、送風装置と、それを備えた空気調和装置に関するものである。
【背景技術】
【０００２】
特許文献１には、複数の軸流送風機を備えた送風装置が開示されている。この送風装置は、送風機から吹き出された気流による誘引作用を利用し、比較的大きな送風量を得ている。
【先行技術文献】
【特許文献】
【０００３】
【特許文献１】特開２０１６−０８９７３４号公報
【発明の概要】
【発明が解決しようとする課題】
【０００４】
屋外の自然環境において吹いている風（自然風）は、標準的な成人男性の前面投影面積（概ね、０.６平方メートル）程度の領域において、その領域の各部における風速の差が比較的小さい。このため、自然風を受ける人間は、その身体の各部に受ける風の速度の差が比較的小さい。
【０００５】
一方、特許文献１に開示されたものを含む従来の送風装置は、大きな送風量を得たり、風速を高めて気流の到達距離を伸ばすことを考慮して構成されたものが多い。つまり、従来の送風装置において、比較的広い領域の風速分布を平均化することは、それほど重視されていなかった。そのため、従来の送風装置から吹き出された風を浴びる人間は、その身体の各部に受ける風の速度の差が比較的大きいのが通常である。従って、従来の送風装置は、自然風を受けたときと同等の快適性を人間に与えることができなかった。
【０００６】
本開示の目的は、人間に向けて風を送る送風装置において、風を受けた人間の快適性を向上させることにある。
【課題を解決するための手段】
【０００７】
本開示の第１の態様は、送風装置を対象とし、空気を吹き出す吹出領域（16）が形成された本体部（15）と、該本体部（15）に設けられて上記吹出領域（16）へ向けて空気を流す送風部材（30）とを備え、上記送風部材は、上記吹出領域（16）の上下方向と左右方向のそれぞれに複数ずつマトリックス状に配置された送風ファン（30）であり、上記吹出領域（16）と向かい合う長方形の仮想面であって、上記吹出領域（16）からの距離が１ｍであり、上下に延びる長辺の長さが６０ｃｍであり、左右に延びる短辺の長さが４５ｃｍである仮想面を前方仮想面（65）とし、上記吹出領域（16）と向かい合う長方形の仮想面であって、上記吹出領域（16）からの距離が３ｍであり、上下に延びる長辺の長さが１８０ｃｍであり、左右に延びる短辺の長さが９０ｃｍである仮想面を後方仮想面（67）とし、上記前方仮想面（65）及び上記後方仮想面（67）を底面とする四角錐台形状の仮想の空間を対象仮想空間（60）とし、上記対象仮想空間（60）に含まれ且つ上記前方仮想面（65）と平行な仮想面の少なくとも一つを対象仮想面（61）としたときに、上記対象仮想面（61）において、風速の最小値Ｖminに対する風速の最大値Ｖmaxの比（Ｖmax／Ｖmin）が１以上１０以下となるように、上記吹出領域（16）から空気を吹き出すものである。
【０００８】
第１の態様では、送風部材（30）によって生起した空気流が、吹出領域（16）から対象仮想面（61）へ向けて送り出される。対象仮想面（61）では、その各部における風速の最小値Ｖminに対する最大値Ｖmaxの比（Ｖmax／Ｖmin）が１以上１０以下となる。そのため、吹出領域（16）からの風を受ける人間は、その身体の各部に受ける風の速度の差が比較的小さい状態となる。従って、この態様によれば、送風装置（10）からの風を受けた人間の快適性を向上させることが可能となる。
【０００９】
本開示の第２の態様は、上記第１の態様において、上記対象仮想面（61）において、風速の最小値Ｖminに対する風速の最大値Ｖmaxの比（Ｖmax／Ｖmin）が１以上５以下となるように、上記吹出領域（16）から空気を吹き出すものである。
【００１０】
第２の態様の送風装置（10）から吹き出された空気が流れる対象仮想面（61）では、その各部における風速の最小値Ｖminに対する最大値Ｖmaxの比（Ｖmax／Ｖmin）が１以上５以下となる。
【００１１】
本開示の第３の態様は、上記第１の態様において、上記対象仮想面（61）において、風速の最小値Ｖminに対する風速の最大値Ｖmaxの比（Ｖmax／Ｖmin）が１以上２．５以下となるように、上記吹出領域（16）から空気を吹き出すものである。
【００１２】
第３の態様の送風装置（10）から吹き出された空気が流れる対象仮想面（61）では、その各部における風速の最小値Ｖminに対する最大値Ｖmaxの比（Ｖmax／Ｖmin）が１以上２．５以下となる。
【００１３】
本開示の第４の態様は、上記第１〜第３のいずれか一つの態様において、上記吹出領域（16）と向かい合う長方形の仮想面であって、上記吹出領域（16）からの距離が２ｍであり、上下に延びる長辺の長さが１２０ｃｍであり、左右に延びる短辺の長さが６７．５ｃｍである仮想面を中間仮想面（66）としたときに、上記対象仮想面（61）は、上記対象仮想空間（60）のうち上記前方仮想面（65）と上記中間仮想面（66）の間の部分に位置しているものである。
【００１４】
第４の態様では、対象仮想空間（60）のうち前方仮想面（65）と中間仮想面（66）の間の部分に含まれ、且つ前方仮想面（65）と平行な仮想面の少なくとも一つが、対象仮想面（61）となる。
【００１５】
本開示の第５の態様は、上記第１〜第３のいずれか一つの態様において、上記対象仮想面（61）は、上記後方仮想面（67）であるものである。
【００１６】
第５の態様では、後方仮想面（67）が対象仮想面（61）となる。第５の態様の送風装置（10）から吹き出された空気が流れる後方仮想面（67）では、その各部における風速の最小値Ｖminに対する最大値Ｖmaxの比（Ｖmax／Ｖmin）が所定の数値範囲内の値となる。
【００１７】
本開示の第６の態様は、上記第１〜第５のいずれか一つの態様において、予め取得し又はリアルタイムに取得した屋外の自然風の風速の変動パターンを含む風速データに基づいて、上記吹出領域（16）から吹き出される空気の流速の変動パターンが上記風速データに含まれる風速の変動パターンとなるように上記送風部材（30）の動作を制御する制御器（40）を備えるものである。
【００１８】
第６の態様では、吹出領域（16）から吹き出される空気の流速の変動パターンが風速データに含まれた風速の変動パターン（即ち、屋外の自然風の風速の変動パターン）となるように、制御器（40）が送風部材（30）の動作を制御する。つまり、この態様によれば、風速データに含まれた自然風の風速の変動パターンを、送風装置（10）によって再現することが可能となる。
【００１９】
本開示の第７の態様は、空気調和装置を対象とし、上記第１〜第６のいずれか一つの態様の送風装置（10）と、上記送風装置（10）へ吸い込まれる供給空気を熱媒体と熱交換させて上記供給空気の温度を調節する熱交換器（55）とを備えるものである。
【００２０】
第７の態様では、熱交換器（55）を通過する際に温度調節された供給空気が、送風装置（10）によって吹き出される。従って、この態様の空気調和装置（50）によれば、送風装置（10）から吹き出される空気の流速と温度の両方を調節することが可能となる。
【図面の簡単な説明】
【００２１】
【図１】図１は、実施形態１の送風装置の本体部の概略正面図である。
【図２】図２は、実施形態１の送風装置の本体部と対象仮想空間とを示す概略斜視図である。
【図３】図３は、実施形態１の送風装置の本体部と対象仮想空間とを示す概略側面図である。
【図４】図４は、実施形態１の送風装置の使用状態を示す概略構成図である。
【図５】図５は、参考技術の送風装置の本体部の概略正面図である。
【図６】図６は、図５のＶ−Ｖ断面を示す参考技術の送風装置の本体部の概略断面図である
【図７】図７は、参考技術の変形例１の送風装置の図６に相当する本体部の断面を示す概略断面図である。
【図８】図８は、参考技術の変形例２の送風装置の図６に相当する本体部の断面を示す概略断面図である。
【図９】図９は、実施形態２の空気調和装置の概略構成を示す断面図である。
【発明を実施するための形態】
【００２２】
《実施形態１》
実施形態１の送風装置（10）について、図１〜図４を適宜参照しながら説明する。
【００２３】
−送風装置の構成−
〈本体部〉
図１及び図２に示すように、送風装置（10）は、本体部（15）を備える。本体部（15）は、前後方向の奥行きが比較的短い直方体状に形成される。本体部（15）は、左右方向の幅と上下方向の高さのそれぞれが、概ね１.６ｍ程度である。なお、本体部（15）についての説明で用いる「上」「下」「左」「右」「前」「後」は、図２に示す方向（即ち、本体部（15）を正面から見たときの方向）を意味する。
【００２４】
本体部（15）には、送風部材としての送風ファン（30）が１６個設けられる。本体部（15）において、１６個の送風ファン（30）は、左右方向と上下方向のそれぞれに４個ずつマトリックス状に配置される。各送風ファン（30）は、羽根車（31）とシュラウド（32）とを備えた軸流送風機である。羽根車（31）は、いわゆるプロペラファンである。各送風ファン（30）において、シュラウド（32）は、羽根車（31）の周囲を囲うように配置される。また、図示しないが、各送風ファン（30）には、羽根車（31）を駆動するファンモータが設けられる。羽根車（31）は、ファンモータの出力軸に取り付けられる。
【００２５】
本体部（15）において、１６個の送風ファン（30）は、本体部（15）の前面に面している。本体部（15）の前面は、各送風ファン（30）から吹き出された空気が吹き出される吹出領域（16）を構成する。本実施形態の送風装置（10）において、吹出領域（16）は、左右方向の幅が１.６ｍで、上下方向の高さ１.６ｍの正方形状の平面である。
【００２６】
〈制御器〉
図４に示すように、送風装置（10）は、制御器（40）を更に備える。図示しないが、制御器（40）は、制御プログラムを実行するＣＰＵと、制御プログラムやそれを実行するのに必要なデータ等を記憶するメモリとを備える。
【００２７】
制御器（40）は、インターネット等の通信回線（45）を介して、遠隔地の屋外に設置されたセンサユニット（46）と通信可能に接続される。図示しないが、センサユニット（46）は、設置された屋外の自然環境において吹いている風（自然風）の速度を計測する風速センサを一つ備えている。センサユニット（46）は、風速センサの計測値をリアルタイムに通信回線（45）を介して制御器（40）へ送信する。センサユニット（46）から制御器（40）へ送られるデータは、設置場所における自然風の変動パターンを記録した風速データである。
【００２８】
制御器（40）は、センサユニット（46）から受信した風速データに基づいて、本体部（15）に設けられた送風ファン（30）の羽根車（31）の回転速度を制御するように構成される。その際、制御器（40）は、全ての送風ファン（30）の羽根車（31）の回転速度を同じ値に設定する。
【００２９】
−送風装置の動作−
本実施形態の送風装置（10）において、各送風ファン（30）の羽根車（31）は、互いに同じ回転速度で回転する。従って、本体部（15）にマトリックス状に配置された１６個の送風ファン（30）は、それぞれの吹出し風速が互いに概ね一致する。本体部（15）の前面である吹出領域（16）からは、１６個の送風ファン（30）が吹き出した空気が、前方へ向かって吹き出される。
【００３０】
各送風ファン（30）から吹き出されて吹出領域（16）を通過した空気は、互いに拡散し、それぞれの風速が平均化される。その結果、図２に示す対象仮想面（61）では、その各部における風速の最小値Ｖminに対する最大値Ｖmaxの比Ｖmax／Ｖminが、１以上１０以下となる（１≦Ｖmax／Ｖmin≦１０）。なお、対象仮想面（61）の各部における風速の最小値Ｖminに対する最大値Ｖmaxの比Ｖmax／Ｖminは、１以上５以下であるのが望ましく、１以上４以下であるのが望ましく、１以上３以下であるのが更に望ましく、１以上２．５以下であるのが望ましく、１以上２以下であるのが更に望ましい。
【００３１】
−制御器の動作−
制御器（40）は、吹出領域（16）から吹き出される空気の流速の変動パターンが、センサユニット（46）から受信した風速データに含まれる風速の変動パターンとなるように、各送風ファン（30）の羽根車（31）の回転速度を調節する。つまり、制御器（40）は、風速データに含まれる風速の計測値が上昇すると、各送風ファン（30）の羽根車（31）の回転速度を増加させ、風速データに含まれる風速の計測値が低下すると、各送風ファン（30）の羽根車（31）の回転速度を減少させる。その結果、吹出領域（16）と向かい合う対象仮想面（61）において、センサユニット（46）の設置場所における自然風の変動パターンが再現される。
【００３２】
−対象仮想面におけるＶmax／Ｖmin−
上述したように、本実施形態の送風装置（10）は、対象仮想面（61）の各部における風速の最小値Ｖminに対する最大値Ｖmaxの比Ｖmax／Ｖminを、１以上１０以下としている。ここでは、その理由を説明する。
【００３３】
一般的な空調機から吹き出される風とは異なり、屋外の自然環境において吹いている風（自然風）には、“比較的広い領域において風速分布が比較的小さい”という特性がある。そのことを確認するために、本実施形態の送風装置（10）の設計者らは、自然風の風速を実際に測定した。
【００３４】
設計者らは、左右方向の幅が４５ｃｍで上下方向の高さが６０ｃｍの長方形の計測領域について、その各部における自然風の風速を測定した。計測領域には、２０個の風速センサがマトリックス状に配置される。具体的に、計測領域には、その左右方向に４個の風速センサが１５ｃｍ間隔で配置され、その上下方向に５個の風速センサが１５ｃｍ間隔で配置される。そして、設計者らは、各風速センサの計測値を０.５秒毎に３００秒間に亘って記録し、各時刻における計測領域のＶmax／Ｖminを算出した。その結果、風速を計測した３００秒間では、Ｖmax／Ｖminの最小値が１.２であり、Ｖmax／Ｖminの最大値が４.６であった。
【００３５】
この計測結果からは、対象仮想面（61）におけるＶmax／Ｖminを概ね１０以下に設定すれば、送風装置（10）と対面して送風装置（10）からの風を受けている人間に対して、自然風を浴びているような感覚を与えられることが分かる。そこで、本実施形態の送風装置（10）では、対象仮想面（61）におけるＶmax／Ｖmin１以上５以下とし、送風装置（10）からの風を受けている人間に自然風を浴びているような感覚を与え、その人間に高い快適性を与えている。
【００３６】
−対象仮想空間と対象仮想面−
図２及び図３に示すように、対象仮想空間（60）は、第１仮想面（65）と第３仮想面（67）とを底面とする四角錐台形状の仮想の空間である。この対象仮想空間（60）は、第２仮想面（66）を含む。対象仮想面（61）は、対象仮想空間（60）に含まれる仮想の平面である。
【００３７】
〈第１仮想面〉
第１仮想面（65）は、前方仮想面である。第１仮想面（65）は、図２に長方形Ａ１,Ｂ１,Ｃ１,Ｄ１で示される仮想の平面である。
【００３８】
具体的に、第１仮想面（65）は、吹出領域（16）と向かい合う長方形の仮想面である。第１仮想面（65）は、吹出領域（16）と平行な鉛直面である。第１仮想面（65）から吹出領域（16）までの距離は、１ｍである。第１仮想面（65）の長辺は、上下方向に沿っている。第１仮想面（65）の長辺の長さは、６０ｃｍである。第１仮想面（65）の短辺は、左右方向に沿っている。第１仮想面（65）の短辺の長さは、４５ｃｍである。
【００３９】
第１仮想面（65）の重心Ｏ１は、対象仮想空間（60）の中心線（CL）上に位置する。対象仮想空間（60）の中心線（CL）は、第１仮想面（65）及び吹出領域（16）と直交する水平な直線である。
【００４０】
〈第２仮想面〉
第２仮想面（66）は、中間仮想面である。第２仮想面（66）は、図２に長方形Ａ２,Ｂ２,Ｃ２,Ｄ２で示される仮想の平面である。この第２仮想面（66）は、第１仮想面（65）と第３仮想面（67）の中間に位置する。
【００４１】
具体的に、第２仮想面（66）は、吹出領域（16）と向かい合う長方形の仮想面である。第２仮想面（66）は、吹出領域（16）と平行な鉛直面である。第２仮想面（66）から吹出領域（16）までの距離は、２ｍである。第２仮想面（66）の長辺は、上下方向に沿っている。第２仮想面（66）の長辺の長さは、１２０ｃｍである。第２仮想面（66）の短辺は、左右方向に沿っている。第２仮想面（66）の短辺の長さは、６７．５ｃｍである。
【００４２】
第２仮想面（66）の重心Ｏ２は、対象仮想空間（60）の中心線（CL）上に位置する。第２仮想面（66）は、対象仮想空間（60）の中心線（CL）と直交する。
【００４３】
〈第３仮想面〉
第３仮想面（67）は、後方仮想面である。第３仮想面（67）は、図２に長方形Ａ３,Ｂ３,Ｃ３,Ｄ３で示される仮想の平面である。
【００４４】
具体的に、第３仮想面（67）は、吹出領域（16）と向かい合う長方形の仮想面である。第３仮想面（67）は、吹出領域（16）と平行な鉛直面である。第３仮想面（67）から吹出領域（16）までの距離は、３ｍである。第３仮想面（67）の長辺は、上下方向に沿っている。第３仮想面（67）の長辺の長さは、１８０ｃｍである。第３仮想面（67）の短辺は、左右方向に沿っている。第３仮想面（67）の短辺の長さは、９０ｃｍである。
【００４５】
第３仮想面（67）の重心Ｏ３は、対象仮想空間（60）の中心線（CL）上に位置する。第３仮想面（67）は、対象仮想空間（60）の中心線（CL）と直交する。
【００４６】
〈対象仮想面〉
本実施形態の対象仮想面（61）は、図２に長方形Ａ,Ｂ,Ｃ,Ｄで示される仮想の平面である。この対象仮想面（61）は、対象仮想空間（60）に含まれ且つ第１仮想面（65）と平行な一つの仮想面である。
【００４７】
具体的に、対象仮想面（61）は、吹出領域（16）と向かい合う長方形の仮想面である。対象仮想面（61）は、吹出領域（16）と平行な鉛直面である。対象仮想空間（60）において、本実施形態の対象仮想面（61）は、第１仮想面（65）と第２仮想面（66）の間に位置する。対象仮想面（61）の長辺は、上下方向に沿っている。対象仮想面（61）の短辺は、左右方向に沿っている。
【００４８】
対象仮想面（61）の重心Ｏは、対象仮想空間（60）の中心線（CL）上に位置する。対象仮想面（61）は、対象仮想空間（60）の中心線（CL）と直交する。
【００４９】
−実施形態１の特徴（１）−
本実施形態の送風装置（10）は、空気を吹き出す面状の吹出領域（16）が形成された本体部（15）と、本体部（15）に設けられて吹出領域（16）へ向けて空気を流す送風ファン（30）とを備える。そして、送風装置（10）は、対象仮想面（61）において、風速の最小値Ｖminに対する風速の最大値Ｖmaxの比（Ｖmax／Ｖmin）が１以上１０以下となるように、上記吹出領域（16）から空気を吹き出す。
【００５０】
対象仮想面（61）は、対象仮想空間（60）に含まれ且つ第１仮想面（65）と平行な仮想面の少なくとも一つである。対象仮想空間（60）は、第１仮想面（65）及び第３仮想面（67）を底面とする四角錐台形状の仮想の空間である。第１仮想面（65）は、吹出領域（16）と向かい合う長方形の仮想面であって、吹出領域（16）からの距離が１ｍであり、上下に延びる長辺の長さが６０ｃｍであり、左右に延びる短辺の長さが４５ｃｍの仮想面である。第３仮想面（67）は、吹出領域（16）と向かい合う長方形の仮想面であって、吹出領域（16）からの距離が３ｍであり、上下に延びる長辺の長さが１８０ｃｍであり、左右に延びる短辺の長さが９０ｃｍの仮想面である。
【００５１】
本実施形態では、送風部材（30）によって生起した空気流が、吹出領域（16）から対象仮想面（61）へ向けて送り出される。対象仮想面（61）では、その各部における風速の最小値Ｖminに対する最大値Ｖmaxの比（Ｖmax／Ｖmin）が１以上１０以下となる。そのため、吹出領域（16）からの風を受ける人間は、その身体の各部に受ける風の速度の差が比較的小さい状態となる。従って、本実施形態によれば、自然風を受けたときと同等の快適性を人間に与えることが可能となり、送風装置（10）からの風を受けた人間の快適性を向上させることが可能となる。
【００５２】
−実施形態１の特徴（２）−
本実施形態の対象仮想面（61）は、対象仮想空間（60）のうち第１仮想面（65）と第２仮想面（66）の間の部分に位置している。第２仮想面（66）は、吹出領域（16）と向かい合う長方形の仮想面であって、吹出領域（16）からの距離が２ｍであり、上下に延びる長辺の長さが１２０ｃｍであり、左右に延びる短辺の長さが６７．５ｃｍの仮想面である。
【００５３】
−実施形態１の特徴（３）−
本実施形態の送風装置（10）では、送風部材を構成する複数の送風ファン（30）が、吹出領域（16）に面して配置される。送風ファン（30）が作動すると、本体部（15）の吹出領域（16）から風が吹き出される。
【００５４】
−実施形態１の特徴（４）−
本実施形態の送風装置（10）において、制御器（40）は、リアルタイムに取得した屋外の自然風の風速の変動パターンを含む風速データに基づいて、吹出領域（16）から吹き出される空気の流速の変動パターンが風速データに含まれる風速の変動パターンとなるように、送風ファン（30）の動作を制御する。従って、本実施形態によれば、風速データに含まれた自然風の風速の変動パターンを、送風装置（10）によって再現することが可能となる。
【００５５】
−実施形態１の変形例−
センサユニット（46）には、複数の風速センサが設けられていてもよい。
【００５６】
例えば、センサユニット（46）に４つの風速センサを設ける場合は、左右方向と上下方向に２個ずつの風速センサをマトリックス状に配置するのが望ましい。その場合、本体部（15）では、右上寄りに位置する４つの送風ファン（30）が第１の風速センサに対応づけられ、右下寄りに位置する４つの送風ファン（30）が第２の風速センサに対応づけられ、左下寄りに位置する４つの送風ファン（30）が第３の風速センサに対応づけられ、左上寄りに位置する４つの送風ファン（30）が第４の風速センサに対応づけられる。そして、この場合、制御器（40）は、各送風ファン（30）の羽根車（31）の回転速度を、それぞれに対応する風速センサの計測値に応じて調節する。
【００５７】
また、例えば、センサユニット（46）に１６個の風速センサを設ける場合は、本体部（15）に設けられた１６個の送風ファン（30）のそれぞれが別々の風速センサに対応づけられる。そして、この場合、制御器（40）は、各送風ファン（30）の羽根車（31）の回転速度を、その送風ファン（30）に対応する風速センサの計測値に応じて個別に調節する。
【００５８】
《参考技術》
参考技術について説明する。本参考技術の送風装置（10）は、実施形態１の送風装置（10）において、本体部（15）の構成を変更したものである。ここでは、本参考技術の本体部（15）ついて、図５及び図６を参照しながら説明する。
【００５９】
本参考技術の本体部（15）は、ケーシング（20）と、送風ファン（30）と、整流部材（17）とを、１つずつ備える。この本体部（15）は、前後方向の奥行きが比較的短い直方体状に形成される。
【００６０】
ケーシング（20）は、正面から見て正方形状の枠状（あるいは、短い矩形ダクト状）に形成される。ケーシング（20）は、左右方向の幅と上下方向の高さのそれぞれが、概ね１.６ｍ程度である。
【００６１】
送風ファン（30）は、ケーシング（20）に収容され、ケーシング（20）の後端寄りに配置される。本参考技術の送風ファン（30）は、実施形態１の送風ファン（30）と同様の軸流送風機である。この送風ファン（30）は、羽根車（31）とファンモータ（33）とシュラウド（32）とを１つずつ備える。
【００６２】
整流部材（17）は、空気が通過可能であって、そこを通過する空気の流れを整えるように構成された部材である。この整流部材（17）は、例えば、積層された複数枚の不織布シートや、多数の小孔が形成されたパンチング板などによって構成される。本参考技術の整流部材（17）は、正方形の厚板状に形成され、ケーシング（20）の前面側の開口端の全体を覆うように配置される。本参考技術の本体部（15）では、整流部材（17）の前面が吹出領域（16）となる。従って、本参考技術の送風装置（10）においても、吹出領域（16）は、左右方向の幅が１.６ｍで、上下方向の高さ１.６ｍの正方形状の平面となる。
【００６３】
本参考技術の送風装置（10）において、制御器（40）は、本体部（15）に設けられた１つの送風ファン（30）の制御を行う。つまり、この制御器（40）は、送風ファン（30）の羽根車（31）の回転速度を、センサユニット（46）から受信した送風データに基づいて調節する。
【００６４】
本参考技術の送風装置（10）において、送風ファン（30）から吹き出された空気は、整流部材（17）を通過する際にその流れが整えられる。そして、整流部材（17）の前面である吹出領域（16）では、その各部を通過する空気の流速が平均化される。その結果、吹出領域（16）と対面する対象仮想面（61）では、その各部における風速の最小値Ｖminに対する最大値Ｖmaxの比Ｖmax／Ｖminが、１以上５以下となる（１≦Ｖmax／Ｖmin≦５）。なお、対象仮想面（61）の形状および大きさと、対象仮想面（61）から吹出領域（16）までの距離とは、実施形態１と同じである。
【００６５】
このように、本参考技術の送風装置（10）において、本体部（15）は、空気が通過可能に構成されて吹出領域（16）の全体に設けられた整流部材（17）を備える。また、本体部（15）では、送風部材である送風ファン（30）が、整流部材（17）の上流に配置される。本参考技術の送風装置（10）において、送風ファン（30）から吹き出された空気は、整流部材（17）を通過する際に整流された後に吹出領域（16）から吹き出される。
【００６６】
−参考技術の変形例１−
図７に示すように、本参考技術の送風装置（10）は、本体部（15）のケーシング（20）が吸込側ケーシング（21）と吹出側ケーシング（22）とに分割されていてもよい。吸込側ケーシング（21）には、１つの送風ファン（30）が収容される。吹出側ケーシング（22）には、その前面を覆うように整流部材（17）が取り付けられる。吸込側ケーシング（21）と吹出側ケーシング（22）は、蛇腹状の連結ダクト（25）によって連結される。
【００６７】
−参考技術の変形例２−
図８に示すように、本参考技術の送風装置（10）は、送風ファン（30）が上方へ空気を吹き出す姿勢で配置されていてもよい。
【００６８】
本変形例のケーシング（20）は、直方体形状の箱状に形成される。このケーシング（20）は、前面の上部が開口しており、この開口を覆うように整流部材（17）が取り付けられる。ケーシング（20）の前側板と後側板は、それぞれの下端寄りに吸込口（23）が形成される。ケーシング（20）の内部空間において、送風ファン（30）は、吸込口（23）よりも上方で且つ整流部材（17）よりも下方に配置される。また、送風ファン（30）は、羽根車（31）の回転軸が上下方向となる姿勢で、ケーシング（20）内に設置される。なお、図８では、送風ファン（30）のシュラウドの図示を省略している。
【００６９】
送風ファン（30）が作動すると、空気が吸込口（23）を通ってケーシング（20）の内部空間へ流入する。ケーシング（20）の内部空間へ流入した空気は、送風ファン（30）によって上方へ吹き出され、その後に前方へ向きを変え、整流部材（17）を通過後にケーシング（20）から吹き出される。
【００７０】
−参考技術の変形例３−
本参考技術とその変形例１,２の送風装置（10）には、複数の送風ファン（30）が設けられていてもよい。例えば、本参考技術とその変形例１,２の送風装置（10）では、ケーシング（20）内に４個の送風ファン（30）がマトリックス状に配置されていてもよい。
【００７１】
《実施形態２》
実施形態２について説明する。本実施形態は、実施形態１の送風装置（10）を備えた空気調和装置（50）である。
【００７２】
図９に示すように、本実施形態の空気調和装置（50）は、実施形態１の送風装置（10）と、ダクト部材（51）と、熱交換器（55）と、室外ユニット（56）とを備えている。
【００７３】
ダクト部材（51）は、吹出端部（53）と、吸込端部（52）と、拡大部（54）とを備える。吹出端部（53）は、送風装置（10）に対応した大きさの矩形ダクト状に形成される。吸込端部（52）は、吹出端部（53）よりも流路断面積が小さい矩形ダクト状に形成される。拡大部（54）は、吸込端部（52）から吹出端部（53）へ向かって流路断面積が次第に拡大する形状に形成され、吸込端部（52）と吹出端部（53）を接続する。
【００７４】
送風装置（10）の本体部（15）は、吹出端部（53）の終端（図９における左端）を覆うように配置される。熱交換器（55）は、吸込端部（52）に収容される。熱交換器（55）は、冷媒と空気を熱交換させる空気熱交換器である。室外ユニット（56）は、熱交換器（55）と配管を介して接続され、冷凍サイクルを行う冷媒回路（57）を構成する。図示しないが、室外ユニット（56）には、圧縮機、室外ファン、室外熱交換器などの機器が収容される。
【００７５】
送風装置（10）の送風ファン（30）を作動させると、ダクト部材（51）の吸込端部（52）へ空気が吸い込まれる。ダクト部材（51）へ吸い込まれた空気は、供給空気としてダクト部材（51）の中を流れ、熱交換器（55）を通過する間に冷媒と熱交換することによって、冷却され又は加熱される。熱交換器（55）を通過する間に温度調節された供給空気は、送風装置（10）によって室内空間へ吹き出される。
【００７６】
このように、本実施形態の空気調和装置（50）は、実施形態１の送風装置（10）と、送風装置（10）へ吸い込まれる供給空気を熱媒体と熱交換させて供給空気の温度を調節する熱交換器（55）とを備える。
【００７７】
本実施形態の空気調和装置（50）は、熱交換器（55）を通過する際に温度調節された供給空気を、送風装置（10）によって吹き出す。従って、本実施形態の空気調和装置（50）によれば、送風装置（10）から吹き出される空気の流速と温度の両方を調節することが可能となる。
【００７８】
−実施形態２の変形例−
本実施形態の空気調和装置（50）では、実施形態１の送風装置（10）に代えて、実施形態１の変形例の送風装置（10）が設けられていてもよいし、参考技術又はその変形例１,２の送風装置（10）が設けられていてもよい。
【００７９】
《その他の実施形態》
上記各実施形態及びそれらの変形例の送風装置（10）において、制御器（40）は、例えばメモリーカード等の記録媒体に記録された風速データを読み込み、読み込んだ風速データに基づいて本体部（15）の送風ファン（30）を制御するように構成されていてもよい。
【００８０】
上記各実施形態及びそれらの変形例の送風装置（10）は、対象仮想面（61）において、風速の最小値Ｖminに対する風速の最大値Ｖmaxの比（Ｖmax／Ｖmin）が１以上５以下となるように、吹出領域（16）から空気を吹き出すように構成されていてもよい。
【００８１】
また、上記各実施形態及びそれらの変形例の送風装置（10）は、対象仮想面（61）において、風速の最小値Ｖminに対する風速の最大値Ｖmaxの比（Ｖmax／Ｖmin）が１以上２．５以下となるように、吹出領域（16）から空気を吹き出すように構成されていてもよい。
【００８２】
また、上記各実施形態及びそれらの変形例の送風装置（10）は、対象仮想面（61）である第３仮想面（67）において、風速の最小値Ｖminに対する最大値Ｖmaxの比（Ｖmax／Ｖmin）が所定の数値範囲内の値となるように、吹出領域（16）から空気を吹き出すように構成されていてもよい。
【００８３】
また、上記各実施形態及びそれらの変形例の送風装置（10）は、複数の対象仮想面（61）において、風速の最小値Ｖminに対する最大値Ｖmaxの比（Ｖmax／Ｖmin）が所定の数値範囲内の値となるように、吹出領域（16）から空気を吹き出すように構成されていてもよい。
【００８４】
また、上記各実施形態及びそれらの変形例の送風装置（10）において、送風ファン（30）の型式は、プロペラファンに限られない。例えば、送風ファン（30）は、斜流ファンやシロッコファンであってもよい。
【００８５】
また、上記各実施形態及びそれらの変形例の送風装置（10）では、いわゆるイオン風素子が送風部材として本体部（15）に設けられていてもよい。イオン風素子は、放電によってプラズマを発生させ、発生したプラズマによって風を生起させるように構成された素子である。
【００８６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００８７】
以上説明したように、本開示は、送風装置と、これを備えた空気調和装置について有用である。
【符号の説明】
【００８８】
15    本体部
16    吹出領域
17    整流部材
30    送風ファン（送風部材）
40    制御器
50    空気調和装置
55    熱交換器
60    対象仮想空間
61    対象仮想面
65    第１仮想面（前方仮想面）
66    第２仮想面（中間仮想面）
67    第３仮想面（後方仮想面）
【手続補正２】
【補正対象書類名】特許請求の範囲
【補正対象項目名】全文
【補正方法】変更
【補正の内容】
【特許請求の範囲】
【請求項１】
空気を吹き出す吹出領域（16）が形成された本体部（15）と、該本体部（15）に設けられて上記吹出領域（16）へ向けて空気を流す送風部材（30）とを備え、
上記送風部材は、上記吹出領域（16）の上下方向と左右方向のそれぞれに複数ずつマトリックス状に配置された送風ファン（30）であり、
上記吹出領域（16）と向かい合う長方形の仮想面であって、上記吹出領域（16）からの距離が１ｍであり、上下に延びる長辺の長さが６０ｃｍであり、左右に延びる短辺の長さが４５ｃｍである仮想面を前方仮想面（65）とし、
上記吹出領域（16）と向かい合う長方形の仮想面であって、上記吹出領域（16）からの距離が３ｍであり、上下に延びる長辺の長さが１８０ｃｍであり、左右に延びる短辺の長さが９０ｃｍである仮想面を後方仮想面（67）とし、
上記前方仮想面及び上記後方仮想面を底面とする四角錐台形状の仮想の空間を対象仮想空間（60）とし、
上記対象仮想空間（60）に含まれ且つ上記前方仮想面（65）と平行な仮想面の少なくとも一つを対象仮想面（61）としたときに、
上記対象仮想面（61）において、風速の最小値Ｖminに対する風速の最大値Ｖmaxの比（Ｖmax／Ｖmin）が１以上１０以下となるように、上記吹出領域（16）から空気を吹き出す
ことを特徴とする送風装置。
【請求項２】
請求項１において、
上記対象仮想面（61）において、風速の最小値Ｖminに対する風速の最大値Ｖmaxの比（Ｖmax／Ｖmin）が１以上５以下となるように、上記吹出領域（16）から空気を吹き出す
ことを特徴とする送風装置。
【請求項３】
請求項１において、
上記対象仮想面（61）において、風速の最小値Ｖminに対する風速の最大値Ｖmaxの比（Ｖmax／Ｖmin）が１以上２．５以下となるように、上記吹出領域（16）から空気を吹き出す
ことを特徴とする送風装置。
【請求項４】
請求項１乃至３のいずれか一つにおいて、
上記吹出領域（16）と向かい合う長方形の仮想面であって、上記吹出領域（16）からの距離が２ｍであり、上下に延びる長辺の長さが１２０ｃｍであり、左右に延びる短辺の長さが６７．５ｃｍである仮想面を中間仮想面（66）としたときに、
上記対象仮想面（61）は、上記対象仮想空間（60）のうち上記前方仮想面（65）と上記中間仮想面（66）の間の部分に位置している
ことを特徴とする送風装置。
【請求項５】
請求項１乃至３のいずれか一つにおいて、
上記対象仮想面（61）は、上記後方仮想面（67）である
ことを特徴とする送風装置。
【請求項６】
請求項１乃至５のいずれか一つにおいて、
予め取得し又はリアルタイムに取得した屋外の自然風の風速の変動パターンを含む風速データに基づいて、上記吹出領域（16）から吹き出される空気の流速の変動パターンが上記風速データに含まれる風速の変動パターンとなるように上記送風部材（30）の動作を制御する制御器（40）を備えている
ことを特徴とする送風装置。
【請求項７】
請求項１乃至６のいずれか一つの送風装置（10）と、
上記送風装置（10）へ吸い込まれる供給空気を熱媒体と熱交換させて上記供給空気の温度を調節する熱交換器（55）とを備えている
ことを特徴とする空気調和装置。